(57)【要約】【課題】加熱された場合であっても、ガラス材を損傷し難い障子及び建具を提供する。【解決手段】ガラス材と、前記ガラス材の周端部を収容する収容部を備え框組みされた框体と、前記収容部に収容された前記ガラス材の周端部と前記収容部との間を前記ガラス材の両面側にてそれぞれシールするシール材と、前記収容部において、前記ガラス材の両面側にそれぞれ設けられた前記シール材より奥側に各々設けられたバックアップ材と、を有し、前記ガラス材の各々の面側に設けられた前記バックアップ材は硬度が互いに相違する。【選択図】図３
2018199983.tif 000002
【特許請求の範囲】
【請求項１】
ガラス材と、
前記ガラス材の周端部を収容する収容部を備え框組みされた框体と、
前記収容部に収容された前記ガラス材の周端部と前記収容部との間を前記ガラス材の両面側にてそれぞれシールするシール材と、
前記収容部において、前記ガラス材の両面側にそれぞれ設けられた前記シール材より奥側に各々設けられたバックアップ材と、
を有し、
前記ガラス材の各々の面側に設けられた前記バックアップ材は硬度が互いに相違することを特徴とする障子。
【請求項２】
請求項１に記載の障子であって、
前記ガラス材は、非防火性ガラスと防火性ガラスとが対面して一体をなす複層ガラスであり、
前記非防火性ガラス側に設けられている前記バックアップ材の方が、前記防火性ガラス側に設けられている前記バックアップ材より硬度が低いことを特徴とする障子。
【請求項３】
請求項２に記載の障子であって、
前記バックアップ材は、シート状の部材が積層されて構成されており、
前記非防火性ガラス側に設けられている前記バックアップ材は、前記ガラス材の面外方向に沿って積層され、
前記防火性ガラス側に設けられている前記バックアップ材は、前記ガラス材の面内方向に沿って積層されていることを特徴とする障子。
【請求項４】
請求項１または請求項２に記載の障子を備えた引き違い用の建具であって、
前記障子の召合せ框に拘束部材が設けられていることを特徴とする建具。
【発明の詳細な説明】
【技術分野】
【０００１】
本発明は、ガラス材の周端部を収容する収容部を備えた框体を有する障子及び建具に関する。
【背景技術】
【０００２】
ガラス材の周端部を収容する収容部を備えた框体を有する障子及び建具としては、たとえば、框体の内部に嵌め込まれるガラスパネルを備え、ガラスパネルの周端部が、框体が備える溝部内において、バックアップ材により挟まれ、バックアップ材より溝部の開口側にシール材が塗工された障子、及びこの障子を有する建具が知られている（例えば、特許文献１参照）。
【先行技術文献】
【特許文献】
【０００３】
【特許文献１】特開２０１６−１６０６２５号公報
【発明の概要】
【発明が解決しようとする課題】
【０００４】
上記障子は、火災等により加熱されると、火災面側が被火災面側より大きく熱膨張することにより框体とガラスパネルとに反りが生じる。このとき、框体とガラスパネルとは、材質の相違により伸縮量及び反り量が相違する。このため、框体の溝部内にてガラスパネルの周端部がバックアップ材に挟まれていると、ガラスパネルの反りが框体により規制されてガラスパネルに負荷が作用し、ガラスパネルを損傷する虞があるという課題がある。
【０００５】
本発明は、かかる課題に鑑みてなされたものであり、その目的とするところは、加熱された場合であっても、ガラス材を損傷し難い障子及び建具を提供することにある。
【課題を解決するための手段】
【０００６】
かかる目的を達成するために本発明の障子は、ガラス材と、前記ガラス材の周端部を収容する収容部を備え框組みされた框体と、前記収容部に収容された前記ガラス材の周端部と前記収容部との間を前記ガラス材の両面側にてそれぞれシールするシール材と、前記収容部において、前記ガラス材の両面側にそれぞれ設けられた前記シール材より奥側に各々設けられたバックアップ材と、を有し、前記ガラス材の各々の面側に設けられた前記バックアップ材は硬度が互いに相違することを特徴とする障子である。
【０００７】
このような障子によれば、ガラス材の各々の面側に各々設けられたバックアップ材は、硬度が互いに相違するので、加熱されてガラス材に反りが生じる場合に、ガラス材の反りに応じて、硬度の低い側のバックアップ材が圧縮されて変形し、ガラス材の変形を規制しない。このため、加熱されて変形したとしてもガラス材に作用する負荷が軽減されるので、ガラス材が損傷しにくい障子を提供することが可能である。
【０００８】
かかる障子であって、前記ガラス材は、非防火性ガラスと防火性ガラスとが対面して一体をなす複層ガラスであり、
前記非防火性ガラス側に設けられている前記バックアップ材の方が、前記防火性ガラス側に設けられている前記バックアップ材より硬度が低いことが望ましい。
【０００９】
このような障子によれば、防火性ガラスと非防火性ガラスのうちの、強度が低い非防火性ガラス側に設けられているバックアップ材の硬度が低い。このため、強度が低い非防火性ガラス側の方に硬度が低いバックアップ材を用いることにより、バックアップ材が非防火性ガラスの変形に応じてより変形しやすいので、より確実にガラス材の損傷を抑えることが可能である。
【００１０】
かかる障子であって、前記バックアップ材は、シート状の部材が積層されて構成されており、前記非防火性ガラス側に設けられている前記バックアップ材は、前記ガラス材の面外方向に沿って積層され、前記防火性ガラス側に設けられている前記バックアップ材は、前記ガラス材の面内方向に沿って積層されていることが望ましい。
【００１１】
このような障子によれば、非防火性ガラス側に設けられているバックアップ材も、防火性ガラス側に設けられているバックアップ材も、シート状の部材が積層されて構成されており、積層方向を異ならせることにより硬度を互いに相違させているので、簡単な方法でより確実に硬度を異ならせることが可能であり、また、硬度が互いに異なるバックアップ材を安価に備えることが可能である。
【００１２】
また、上記障子を備えた引き違い用の建具であって、前記障子の召合せ框に拘束部材が設けられていることを特徴とする建具である。
このような建具によれば、拘束部材にて引き違い障子の内障子と外障子とが規制されている場合には、加熱されて内障子及び外障子に伸び、反りが生じた場合には、各障子の召合せ框は幅方向に伸縮し難いので、各々の召合せ框に捻れが生じる。
【００１３】
このとき、各々の召合せ框は拘束部材により互いに他の召合せ框の見込み方向への移動も規制し合っているため、拘束部材により規制されている２つの召合せ框は、同一方向に捻れが生じる。一方、内障子のガラス材及び外障子のガラス材は、同一方向に反りが生じるため、ガラス材の幅方向において互いに異なる側の端部が収容されている召合せ框側のガラス材の湾曲方向は、内障子と外障子とで相違する。
【００１４】
このため、内障子及び外障子のうちのいずれかは、召合せ框の捻れ方向と、ガラス材の湾曲方向とが相違する。このとき、ガラス材の各々の面側に設けられているバックアップ材の硬度が同じ場合には、ガラス材にはより大きな負荷が作用し、損傷し易くなる。そこで、上記建具のように、召合せ框にてガラス材の各々の面側に設けられたバックアップ材の、加熱されたときの硬度を互いに相違させると、拘束部材により規制されている引き違い障子であっても、ガラスの損傷を抑えることが可能である。
【発明の効果】
【００１５】
本発明によれば、加熱された場合であっても、ガラス材を損傷し難い障子及び建具を提供することが可能である。
【図面の簡単な説明】
【００１６】
【図１】本実施形態に係る建具を室内側から見た正面図である。
【図２】本実施形態に係る建具の縦断面図である。
【図３】本実施形態に係る建具の横断面図である。
【図４】加熱された際の障子の変形状態を示す図である。
【図５】加熱された際の障子の上部における変形状態を示す横断面図である。
【図６】加熱された際の障子の上下方向における中央付近の変形状態を示す横断面図である。
【図７】本実施形態に係る建具の変形例を示す図である。
【図８】変形例の建具において加熱された際の変形状態を示す横断面図である。
【図９】シート状の部材が積層されているバックアップ材が設けられている建具を示す横断面図である。
【図１０】図１０ａは、鎌錠を示す縦断面図であり、図１０ｂは、図１０ａにおけるＡ矢視図である。
【発明を実施するための形態】
【００１７】
以下、本発明の一実施形態に係る障子及び建具について図面を参照して説明する。
本実施形態の建具１は、例えば図１〜図３に示すように、矩形状に枠組みされた枠体２と、枠体２が備えるレール２１ａ、２２ａに案内されて移動する内障子３及び外障子４と、を備えた引き違い窓用の建具１である。
【００１８】
以下の説明においては、建物に取り付けられている建具１を室内側から見たときに、上下となる方向を上下方向、左右となる方向を左右方向、奥行き方向を見込み方向として示す。建具１の各部位であっても、また、建具１をなす各部材が単体の状態であっても、取り付けられた状態にて上下方向、左右方向、見込み方向となる方向にて方向を特定して説明する。
【００１９】
枠体２は、アルミニウム製の押出成形材でなる上枠２１、下枠２２及び左右配置される縦枠２３が接合されて矩形状をなしている。上枠２１及び下枠２２には、内障子３、及び外障子４が案内されるレール２１ａ、２２ａが、長手方向に沿うとともに、互いに対向する方向に突出させて設けられている。
左右の縦枠２３には、内障子３及び外障子４を閉じた際に、内障子３及び外障子４の戸先框３１、４１と係合する係合片２３ａが、互いに対向する方向に突出させて設けられている。
【００２０】
内障子３及び外障子４は、ガラス材としての複層ガラス５と、複層ガラス５の周端部を収容して保持する框体３０、４０とを有している。
複層ガラス５は、室内側に配置され非防火性ガラスである低放射ガラス（Ｌｏｗ−Ｅガラス）５１と、室外側に配置され防火性ガラスである網入りガラス５２とが、それらの外周端部の内面間に介在されたスペーサーにより間隔を空けて対面するように接合されている。
内障子３及び外障子４の框体３０、４０は、各々戸先框３１、４１、召合せ框３２、４２、上框３３、４３及び下框３４、４４が矩形状に接合されている。
【００２１】
戸先框３１、４１、召合せ框３２、４２、上框３３、４３及び下框３４、４４は、いずれも複層ガラス５の端部が収容されるガラス収容部３１ａ、３２ａ、３３ａ、３４ａ、４１ａ、４２ａ、４３ａ、４４ａを有している。ガラス収容部３１ａ、３２ａ、３３ａ、３４ａ、４１ａ、４２ａ、４３ａ、４４ａは、戸先框３１、４１、召合せ框３２、４２、上框３３、４３及び下框３４、４４において、矩形状をなす框体３０、４０の内周側が開放され外周側に窪む、断面がコ字状の溝をなしている。
【００２２】
戸先框３１、４１は、框体３０、４０の外周側が開放されて水平断面がコ字状をなし、内側に戸先引寄部材６が設けられて縦枠２３の係合片２３ａと係合する引寄部材収容部３１ｂ、４１ｂを各々有している。
【００２３】
上框３３、４３は、上枠２１に設けられたレール２１ａが収容されて、内部に摺動部材７が設けられた摺動部材収容部３３ｂ、４３ｂを有しており、下框３４、４４には、下枠２２に設けられたレール２２ａ、２２ｂに案内される戸車８が設けられている。
【００２４】
本実施形態の建具１には、内障子３及び外障子４を閉じた状態で、内障子３及び外障子４の移動を互いに規制する拘束部材としてのクレセント錠９が設けられている。クレセント錠９は、ハンドル９ａと一体をなすクレセント本体９ｂと、クレセント本体９ｂと係合するクレセント受け９ｃと、を有し、上下方向において、召合せ框３２、４２のほぼ中央に設けられている。クレセント本体９ｂは、内障子３の召合せ框３２に回動自在に設けられており、クレセント受け９ｃは、外障子４の召合せ框４２に設けられている。
【００２５】
内障子３及び外障子４のガラス収容部３１ａ、３２ａ、３３ａ、３４ａ、４１ａ、４２ａ、４３ａ、４４ａに収容された複層ガラス５は、下框３４、４４のガラス収容部３４ａ、４４ａ内に設けられたセッティングブロック１０上に載置され、また、召合せ框３２、４２のガラス収容部３２ａ、４２ａ内に設けられたセッティングブロック１０に当接されて位置決めされている。
【００２６】
複層ガラス５は、各ガラス収容部３１ａ、３２ａ、３３ａ、３４ａ、４１ａ、４２ａ、４３ａ、４４ａ内において、複層ガラス５の室内側及び室外側に設けられたバックアップ材１１、１２と、バックアップ材１１、１２より内周側に充填されたシール材１３とにより挟持されている。複層ガラス５の室内側と室外側とに設けられているバックアップ材１１、１２は、互いに硬度が相違している。
【００２７】
本実施形態の内障子３及び外障子４はいずれも、複層ガラス５の室内側に配置されている低放射ガラス５１側に発泡ポリエチレン製のバックアップ材１１が用いられており、室外側に配置されている網入りガラス５２側に不燃性のバックアップ材１２が用いられている。不燃性のバックアップ材１２は、ポリエステル系繊維不織布張／アルミナシリケート繊維混入ガラス繊維板であり、例えば、ニチアス株式会社製フラットシートＨＰが挙げられる。不燃性のバックアップ材１２は、発泡ポリエチレン製のバックアップ材１１より硬度が高い。
【００２８】
本実施形態のような引き違い窓用の建具１は、枠体２が建物の躯体にほぼ一定の間隔で固定されており、内障子３及び外障子４は、下框３４、４４が下レール２２ａに支持され、上框３３、４３が上レール２１ａと係合し、戸先框３１、４１が縦枠２３の係合片２３ａと係合している。このように内障子３及び外障子４の框体３０、４０を構成する上框３３、４３、下框３４、４４、戸先框３１、４１、召合せ框３２、４２は、固定されていないので、例えば火災等により建具１が加熱された場合には、各々長手方向に伸長する。
【００２９】
このとき、最も火炎に晒されやすく、枠体２との係合が少ない召合せ框３２、４２は、上下に伸長しつつ、上框３３、４３及び下框３４、４４が伸長することにより戸先框３１、４１から離れる方向に移動される。ところが、内障子３の召合せ框３２と外障子４の召合せ框４２とがクレセント錠９で施錠されているので、框体３０、４０が伸長した際に召合せ框３２、４２は、図４〜図６に示すようにクレセント錠９により移動が規制されて捻れるように変形する。
【００３０】
より具体的には、例えば、室外側を火元とする火災の場合には、框体３０、４０の室外側の部位が室内側の部位より大きく伸びるため、室外側に膨らむように反りが生じ、内障子３及び外障子４の、框体３０、４０及び複層ガラス５が変形する。そして、内障子３及び外障子４がいずれも室外側に膨らむように反りが生じたときに、内障子３の召合せ框３２と外障子４の召合せ框４２とには、互いに反対方向の捻れが生じる。このとき生じる捻れは、上下方向において召合せ框のクレセント錠９が設けられている中央付近より上下端の方が大きく生じる。
【００３１】
内障子３及び外障子４においてクレセント錠９が設けられている上下方向の中央付近では、内障子３の召合せ框３２と外障子４の召合せ框４２とが互いに規制し合うため、内障子３と外障子４とのうちの一方の召合せ框（本実施形態では内障子３の召合せ框）３２が他方の召合せ框（本実施形態では外障子の召合せ框）４２の反りに倣わされた場合には、倣わされた召合せ框３２に収容されている複層ガラス５にバックアップ材を介して作用する負荷が大きくなる、或いは、いずれの召合せ框３２、４２も反りが小さく抑えられる一方で複層ガラス５には反りが生じているので、いずれの複層ガラス５にバックアップ材を介して作用する負荷が大きくなってしまう。
すなわち、内障子３と外障子４とは、上下方向における中央近傍にてクレセント錠９により拘束されることにより、内障子３と外障子４の召合せ框３２、４２のうちの、クレセント錠９により係止されて外障子４の召合せ框４２の捻れに倣わされる内障子３の召合せ框３２において、複層ガラス５にバックアップ材を介して作用する負荷は、召合せ框３２と加熱面側に反る複層ガラス５との変形量の差がより大きなクレセント錠９付近の方がより大きくなる。
【００３２】
本実施形態の建具１の障子３、４によれば、複層ガラス５の各々の面側に設けられたバックアップ材１１、１２は、低放射ガラス５１側のバックアップ材１１の方が網入りガラス５２側のバックアップ材１２より硬度が低いので、加熱されて複層ガラス５及び框体３０、４０に反りが生じる場合であっても、複層ガラス５及び框体３０、４０の反りに応じて、低放射ガラス５１側のバックアップ材１１が圧縮されるので複層ガラス５に作用する負荷を軽減することが可能である。このとき、バックアップ材１１、１２の硬度は、加熱されたときに、一方が他方より硬度が低くなれば、非加熱時は、互いの硬度に差が無くとも構わない。
【００３３】
また、クレセント錠９により施錠された建具１のように、加熱された複層ガラス５の反り方向と相違する方向に反りが生じるように、召合せ框３２に捻れが生じた場合であっても、複層ガラス５及び召合せ框３２の反りに応じて、硬度の低い側のバックアップ材１１が圧縮されて変形し、複層ガラス５に作用する負荷を軽減することが可能である。このため、加熱されたとしても複層ガラス５が損傷されにくい障子３、４及びこの障子３、４を備えた建具１を提供することが可能である。
【００３４】
また、低放射ガラス５１と網入りガラス５２とのうちの、強度が低い低放射ガラス５１側に硬度が低いバックアップ材１１が設けられている。このため、低放射ガラス５１側に設けられているバックアップ材１１が低放射ガラス５１の変形に応じて変形しやすいので、内障子３及び外障子４が加熱された場合であっても、より確実に複層ガラス５の損傷を抑えることが可能である。
【００３５】
上記実施形態においては、引き違い窓用の建具１を例に挙げて説明したが、これに限りものではない。例えば、図７、図８に示すように、複層ガラス５の周端部が框体１４ａに収容された障子が扉１４をなし、矩形状をなす枠体１５に蝶番（不図示）を介して開閉自在に取り付けられている建具１６であっても構わない。
【００３６】
例えば、扉１４は、矩形状をなす枠体１５の一方の縦枠１５ａに上下と中央の３箇所にて蝶番を介して取り付けられており、ハンドル１４ｂの操作により解除可能なラッチ機構（付図示）により他方の縦枠１５ｂに係止されている。ラッチ機構は、上下方向における中央近傍に設けられている。矩形状をなす枠体１５には、全周に渡って、閉じた扉１４の周端部と対向する内周壁部１５ｃと、内周壁部１５ｃの室外側に設けられた気密材１７とが、設けられている。扉１４はラッチ機構が係止された状態で、框体１４ａの室内側の面が枠体１５に設けられている気密材１７に当接される。
【００３７】
この建具１６の複層ガラス５は、室内側に網入りガラス５２が配置され、室外側に低放射ガラス５１が配置されている。また、網入りガラス５２側に不燃性のバックアップ材１２が用いられ、低放射ガラス５１側に発泡ポリエチレン製のバックアップ材１１が用いられている。
【００３８】
扉１４を有する建具１６は、火災等により加熱されたときには、蝶番とラッチ機構とにより規制されているため、戸先側の上下端部が、ラッチ機構にて拘束されている部位より見込み方向に突出するように反りが生じる。より具体的には、戸先側の上下端部が、枠体１５に当接されていない室外側に突出するような反りが扉１４に生じる。このとき、上記の扉１４のように複層ガラス５の各々の面側に互いに硬度が異なるバックアップ材１１、１２が設けられている場合には、框体１４ａ及び複層ガラス５の反りに応じて、硬度が低い発泡ポリエチレン製のバックアップ材１１が圧縮されることにより複層ガラス５に作用する負荷を軽減し、複層ガラス５の損傷を抑えることが可能である。
【００３９】
上記実施形態においては、複層ガラス５を低放射ガラス５１と網入りガラス５２とにより構成されている例について説明したが、これに限るものではない。例えば、防火性ガラスと非防火性ガラスとにより構成された複層ガラス、或いは、２枚の防火性ガラスにより構成された複層ガラスであれば構わない。また、ガラス材は、２枚のガラス板により構成された複層ガラスに限らず、単板のガラス板、或いは、３枚以上のガラス板により構成された複層ガラスであっても構わない。
【００４０】
上記実施形態においては、複層ガラス５の低放射ガラス５１側に発泡ポリエチレン製のバックアップ材１１を、網入りガラス５２側に不燃性のバックアップ材１２を用いた例について説明したが、低放射ガラス側に不燃性のバックアップ材１２を、網入りガラス側に発泡ポリエチレン製のバックアップ材１１を用いても構わない。
【００４１】
また、バックアップ材として、発泡ポリエチレン製のバックアップ材１１と不燃性のバックアップ材１２とを用いた例について説明したが、これに限らず、ガラス材の各々の面側に設けられるバックアップ材の硬度が互いに相違すれば、いずれの側にも不燃性のバックアップ材を用いても構わない。
【００４２】
また、複層ガラス５の室内側と室外側とに設けられているバックアップ材１１、１２がいずれも、シート状をなす同一の不燃性部材が積層されて構成されており、積層方向を互いに異ならせることにより硬度を異ならせても良い。すなわち、積層されたシート状の部材でなるバックアップ材１１、１２は、積層方向に圧縮する場合と、積層方向と垂直をなす方向に圧縮する場合とでは、圧縮のしやすさが相違する。より具体的には、積層方向に圧縮する場合のほうが、積層方向と垂直をなす方向に圧縮する場合より変形させやすい。このため、図９に示すように、複層ガラス５の低放射ガラス５１側に、複層ガラス５の面外方向に沿ってシート状の不燃性部材が積層されたバックアップ材１１が設けられてり、網入りガラス５２側に、複層ガラス５の面内方向に沿ってシート状の不燃性部材が積層されたバックアップ材１２が設けられていても構わない。
【００４３】
上記実施形態においては、拘束部材としてクレセント錠９を例に挙げて説明したが、これに限るものではない。例えば、図１０に示すように、内障子３の召合せ框３２内に、室内側から操作して、左右方向に沿う軸１８ａを中心に回動する鎌状部材１８を備え、外障子４の召合せ框４２の室内側面に、回動して内障子３の召合せ框３２から突出してきた鎌状部材１８が、外障子４の召合せ框４２内に進入するとともに、外障子４の召合せ框４２に設けられ、鎌状部材１８が進入可能な進入孔１９ａを備えた受け金具１９に係止されるような鎌錠２０が設けられていても構わない。
【００４４】
上記実施形態においては、複層ガラス５の一方の面側の全周に渡って他方側の面より硬度が低いバックアップ材１１を用いた例について説明したが、これに限るものではない。たとえば、硬度が低いバックアップ材１１は、必ずしも全周に渡って設けられていなくてもよく、一方側の面の一部に用いられていても良い。
【００４５】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４６】
１  建具、３  内障子(障子)、４  外障子（障子）、５  複層ガラス、
９  クレセント錠、１１  バックアップ材、１２  バックアップ材、１３  シール材、
１４  扉、１４ａ  框体、１６  建具、２０  鎌錠、３０  框体、
３１ａ  ガラス収容部、３２  召合せ框、３２ａ  ガラス収容部、
３３ａ  ガラス収容部、３４ａ  ガラス収容部、４１ａ  ガラス収容部、
４２  召合せ框、４２ａ  ガラス収容部、４３ａ  ガラス収容部、
４４ａ  ガラス収容部、５１  低放射ガラス、５２  網入りガラス、
【図１】
2018199983.tif 000003
【図２】
2018199983.tif 000004
【図３】
2018199983.tif 000005
【図４】
2018199983.tif 000006
【図５】
2018199983.tif 000007
【図６】
2018199983.tif 000008
【図７】
2018199983.tif 000009
【図８】
2018199983.tif 000010
【図９】
2018199983.tif 000011
【図１０】
2018199983.tif 000012